(57)【特許請求の範囲】
【請求項１】
マルチキャスト信号を受信する受信部と、
前記マルチキャスト信号を移動局装置へ送信する送信部と、
前記移動局装置との通信における誤り発生率又はDRX（Discontinuous Reception）状態である期間の長さに応じて前記移動局装置への前記マルチキャスト信号の送信が不要か否かを判定する判定部と、
前記判定部による判定に従い、かつ、前記マルチキャスト信号の配信の実施の有無に応じて、前記マルチキャスト信号の配信先グループへ参加するか否かを指示する指示信号を、前記マルチキャスト信号を配信する分配装置へ送信する指示信号送信部と、
を備える基地局装置。
【請求項２】
マルチキャスト信号を受信する受信部と、
前記マルチキャスト信号を移動局装置へ送信する送信部と、
前記移動局装置との通信における誤り発生率又はDRX（Discontinuous Reception）状態である期間の長さに応じて前記移動局装置への前記マルチキャスト信号の送信が不要か否かを判定する判定部と、
前記判定部による判定に従って、前記マルチキャスト信号の配信先グループへ参加するか否かを指示する指示信号を、前記マルチキャスト信号を配信する分配装置へ送信する指示信号送信部と、
を備え、
前記指示信号送信部は、前記判定部により前記移動局装置への前記マルチキャスト信号の送信が不要と判定された場合であって、前記マルチキャスト信号の配信が実施されているとき、前記マルチキャスト信号の配信先グループから脱退するための指示信号を前記分配装置に送信して前記マルチキャスト信号の配信を停止させ、前記判定部により前記移動局装置への前記マルチキャスト信号の送信が不要でないと判定された場合であって、前記マルチキャスト信号の配信が停止されているとき、前記マルチキャスト信号の配信先グループへ参加するための指示信号を前記分配装置に送信して前記マルチキャスト信号の配信を開始させる、基地局装置。
【請求項３】
移動局装置と基地局装置との間の通信における誤り発生率又はDRX（Discontinuous Reception）状態である期間の長さに応じて前記移動局装置へのマルチキャスト信号の送信が不要か否かを判定部にて判定し、
前記マルチキャスト信号の送信が不要か否かに関する前記の判定の結果に従い、かつ、前記マルチキャスト信号の配信の実施の有無に応じて、前記マルチキャスト信号の配信先グループへ参加するか否かを指示する指示信号を、指示信号送信部により前記基地局装置から前記マルチキャスト信号を配信する分配装置へ送信する、
マルチキャスト信号の配信方法。
【請求項４】
移動局装置と基地局装置との間の通信における誤り発生率又はDRX（Discontinuous Reception）状態である期間の長さに応じて前記移動局装置へのマルチキャスト信号の送信が不要か否かを判定部にて判定し、
前記マルチキャスト信号の送信が不要か否かに関する前記の判定の結果に従って、前記マルチキャスト信号の配信先グループへ参加するか否かを指示する指示信号を、指示信号送信部により前記基地局装置から前記マルチキャスト信号を配信する分配装置へ送信し、
前記指示信号送信部は、前記判定部により前記移動局装置への前記マルチキャスト信号の送信が不要と判定された場合であって、前記マルチキャスト信号の配信が実施されているとき、前記マルチキャスト信号の配信先グループから脱退するための指示信号を前記分配装置に送信して前記マルチキャスト信号の配信を停止させ、前記判定部により前記移動局装置への前記マルチキャスト信号の送信が不要でないと判定された場合であって、前記マルチキャスト信号の配信が停止されているとき、前記マルチキャスト信号の配信先グループへ参加するための指示信号を前記分配装置に送信して前記マルチキャスト信号の配信を開始させる、マルチキャスト信号の配信方法。
【発明の詳細な説明】
【技術分野】
【０００１】
本明細書で論じられる実施態様は、移動局装置へのマルチキャスト配信の技術分野に関する。
【背景技術】
【０００２】
現在、無線通信システムにおけるネットワークへのインターネットプロトコル（ＩＰ:Internet Protocol）へ導入が進んでおり、移動局装置へのマルチキャスト配信が提案されている。
【０００３】
例えば、マルチキャストグループに属する移動端末と、マルチキャストグループに属する移動端末に対して情報信号を送信するマルチキャストルータとを有する移動通信システムが提案されている。この移動端末は、マルチキャストルータに対して、マルチキャスト配信経路の確立要求を送信するマルチキャスト配信経路確立要求送信手段と、マルチキャストルータにより存在確認要求が送信される間隔よりも短い時間で満了するタイマと、マルチキャスト配信経路の確立要求が送信される際及びマルチキャストルータからの情報信号を受信する毎にタイマを起動するタイマ起動手段と、タイマが満了した場合にマルチキャストルータに対して、自身が属するマルチキャストグループの脱退要求を送信するマルチキャストグループ脱退要求送信手段と、を備える。一方でマルチキャストルータは、移動端末からのマルチキャストグループの脱退要求に応じて、配下にマルチキャストグループに属する他の移動端末が存在しない場合に、マルチキャスト配信経路を削除するマルチキャスト配信経路削除手段を備える。
【０００４】
また、継続中の通信を維持したままＩＰベースのサブネット上の装置に接続されたリンク・テクノロジー間を移行するモバイル・コンピューティング装置が提案されている。このモバイル・コンピューティング装置は、リンクを選択し、選択されたリンクのＭＡＣアドレスを関与しているホストへ通知するリンク移行モジュールと、選択されたリンクに基づいてＩＰアドレスの異なるＭＡＣアドレスへの結合を動的に変更することが可能であるＭＡＣからＩＰへの動的結合モジュールと、を含む。
【先行技術文献】
【特許文献】
【０００５】
【特許文献１】特開２００４−２２８８８５号公報
【特許文献２】特開２００８−２８９１６２号公報
【発明の概要】
【発明が解決しようとする課題】
【０００６】
従来、基地局装置においてＩＰパケット信号のフロー制御に関する規定はなかった。したがって、移動局装置へのユーザデータの伝送が制限される場合、マルチキャスト信号の配信元の装置において配信先の移動局装置における配信異常を検出するまで、マルチキャスト信号の配信が停止されなかった。
【０００７】
実施態様に係る装置及び方法は、移動局装置へのマルチキャスト信号の配信制御を迅速化することを目的とする。
【課題を解決するための手段】
【０００８】
実施例の一態様による基地局装置は、マルチキャスト信号を受信する受信部と、マルチキャスト信号を移動局装置へ送信する送信部と、移動局装置との通信状態に応じて移動局装置へのマルチキャスト信号の送信が不要か否かを判定する判定部と、判定部による判定に従って、マルチキャスト信号の配信先グループへ参加するか否かを指示する指示信号を、マルチキャスト信号の分配装置へ送信する指示信号送信部と、を備える。
【発明の効果】
【０００９】
上記実施例によれば、移動局装置へのマルチキャスト信号の配信制御が迅速化される。
【図面の簡単な説明】
【００１０】
【図１】通信システムの構成例を示す図である。
【図２】図１に示す基地局装置のハードウエア構成の第１例を示す図である。
【図３】図２に示す基地局装置の構成例を示す図である。
【図４】図２に示す基地局装置における処理の説明図である。
【図５】図１に示す通信システムにおけるマルチキャスト信号の制御の第１例のシーケンス図である。
【図６】図１に示す通信システムにおけるマルチキャスト信号の制御の第２例のシーケンス図である。
【図７】図１に示す基地局装置のハードウエア構成の第２例を示す図である。
【図８】図７に示す基地局装置の第１構成例を示す図である。
【図９】図８に示すパラメータテーブルの第１例の説明図である。
【図１０】図７に示す基地局装置における処理の第１例のシーケンス図である。
【図１１】図７に示す基地局装置における処理の第１例の説明図である。
【図１２】図７に示す基地局装置の第２構成例を示す図である。
【図１３】図１２に示すパラメータテーブルの第２例の説明図である。
【図１４】図７に示す基地局装置における処理の第２例の説明図である。
【発明を実施するための形態】
【００１１】
以下、添付される図面を参照して、好ましい実施例について説明する。図１は、通信システムの構成例を示す図である。通信システム１は、配信装置２と、分配装置３と、基地局装置４と、ホスト５及び６と、移動局装置７を備える。
【００１２】
配信装置２は、マルチキャスト信号を分配装置３へ配信する。配信装置２は、例えば、パーソナルコンピュータやワークステーション等の情報処理装置である。配信装置２は、例えば、マルチキャストパケットをマルチキャスト信号として分配装置３へ配信してよい。
【００１３】
分配装置３は、配信装置２から受信したマルチキャスト信号を複製する。分配装置３は、マルチキャスト信号の配信先グループに含まれている配信先装置へ向けてマルチキャスト信号を送信する。図１に示す例では、マルチキャスト信号は基地局装置４並びにホスト５及び６に送信される。
【００１４】
基地局装置４は、基地局装置４によりカバーされるセル８内に位置する移動局装置７を配信先とするマルチキャスト信号を受信したとき、受信したマルチキャスト信号を移動局装置７へ送信する。
【００１５】
配信装置２と分配装置３との間には、配信装置２と分配装置３の間を流れる信号を伝送するための伝送装置やネットワークが介在していてもよい。基地局装置４と分配装置３との間、ホスト５及び６と分配装置３との間も同様である。伝送される信号がパケット信号である場合には伝送装置は、例えばルータであってよい。以下の説明において、通信システム１内のある装置について、この装置よりも配信装置２へ近い他の装置を「上流側装置」と表記することがある。
【００１６】
第３世代移動通信システムが通信システム１に使用される場合には、例えばＧＧＳＮ（Gateway GPRS Support Node）や、ＧＧＳＮの上流側装置、無線ネットワーク制御装置（ＲＮＣ: Radio Network Controller）の上流側装置に、分配装置３が設けられてよい。また、以下に説明する基地局装置４の機能は、例えば、基地局装置（Ｎｏｄｅ−Ｂ）やＲＮＣが備えてよい。
【００１７】
ＬＴＥ（Long Term Evolution）が通信システム１に使用される場合には、例えばサービングゲートウエイ（Ｓ−ＧＷ: Serving Gateway）やその上流側装置、又は基地局装置（ｅＮＢ：eNodeB）とＳ−ＧＷとの間に、分配装置３が設けられてよい。
【００１８】
例えば、ＷｉＭＡＸ（Worldwide Interoperability for Microwave Access）が通信システム１に使用される場合には、例えばＡＳＮ（Access Service Network）ゲートウエイや、ＡＳＮゲートウエイの上流側装置に分配装置３が設けられてよい。ＡＳＮゲートウエイと基地局装置との間に分配装置３が設けられてもよい。
【００１９】
図２は、図１に示す基地局装置４のハードウエア構成の第１例を示す図である。基地局装置４は、プロセッサ１０と、記憶部１１と、通信インタフェース１２と、無線通信部１３と、バス１４を備える。プロセッサ１０と、記憶部１１と、通信インタフェース１２と、無線通信部１３は、データを伝送するバス１４に接続されている。
【００２０】
記憶部１１には、基地局装置４の動作を制御するための各種コンピュータプログラム及びデータが記憶される。記憶部１１は、メモリ等の記憶装置や、ハードディスク等の補助記憶装置を含んでいてよい。プロセッサ１０は、データ処理装置であり、記憶部１１に記憶されるプログラムを実行し、基地局装置４の動作を制御するための各処理を実行する。
【００２１】
通信インタフェース１２は、基地局装置４と上流側装置との間の通信インタフェース処理を実行する。無線通信部１３は、基地局装置４と移動局装置７との間の無線通信処理を実行する。なお、図２に示すハードウエア構成は、あくまで基地局装置４のハードウエア構成の一例である。以下に説明する処理を実行するものであれば、様々な種類のハードウエア構成が基地局装置４のために採用できる。
【００２２】
図３は、図２に示す基地局装置４の構成例を示す図である。図３に示す各構成要素の機能は、記憶部１１に記憶されるプログラムをプロセッサ１０が実行することにより実現されるものである。なお同図では、この実施例の説明に関係する機能を中心として示している。
【００２３】
基地局装置４は、受信部２０と、送信部２１と、判定部２２と、指示信号送信部２３を備える。受信部２０は、上流側装置からマルチキャスト信号を受信する。送信部２１は、受信されたマルチキャスト信号を移動局装置７へ送信する。
【００２４】
判定部２２は、移動局装置７との通信状態に応じて移動局装置７へのマルチキャスト信号の送信が不要か否かを判定する。例えば判定部２２は、移動局装置７との無線通信の無線通信パラメータに従ってマルチキャスト信号の送信が不要か否かを判定してよい。無線通信パラメータは、例えば、移動局装置７と基地局装置４との間の通信の通信品質に関するパラメータであってよい。例えば無線通信パラメータは、移動局装置７と基地局装置４との間の通信に使用される変調方式や伝送速度などのパラメータであってもよい。
【００２５】
例えば判定部２２は、移動局装置７のサービス状態に基づいてマルチキャスト信号の送信が不要か否かを判定してもよい。
【００２６】
指示信号送信部２３は、判定部２２による判定に従って、マルチキャスト信号の配信先グループへ参加するか否かを指示する指示信号を分配装置３へ送信する。
【００２７】
図４は、図２に示す基地局装置４における処理の説明図である。なお、他の実施態様においては、下記のオペレーションＡＡ〜ＡＥの各オペレーションはステップであってもよい。オペレーションＡＡにおいて、移動局装置７との通信状態に応じて移動局装置７へのマルチキャスト信号の送信が不要か否かを判定する。移動局装置７へのマルチキャスト信号の送信が不要であるときは（オペレーションＡＡ：Ｙ）、処理をオペレーションＡＢへ進める。移動局装置７へのマルチキャスト信号の送信が不要でないときは（オペレーションＡＢ：Ｎ）、処理をオペレーションＡＤへ進める。
【００２８】
オペレーションＡＢにおいて判定部２２は、移動局装置７に対するマルチキャスト配信を実施しているか否かを判定する。マルチキャスト配信が実施されているとき（オペレーションＡＢ：Ｙ）、処理をオペレーションＡＣへ進める。マルチキャスト配信が実施されていないとき（オペレーションＡＢ：Ｎ）、処理を終了する。
【００２９】
オペレーションＡＣにおいて指示信号送信部２３は、マルチキャスト信号の配信先グループへの不参加を指示する指示信号を分配装置３へ送信する。
【００３０】
オペレーションＡＤにおいて、判定部２２は、移動局装置７に対するマルチキャスト配信を実施しているか否かを判定する。マルチキャスト配信が実施されていないとき（オペレーションＡＤ：Ｎ）、処理をオペレーションＡＥへ進める。マルチキャスト配信が実施されているとき（オペレーションＡＤ：Ｙ）、処理を終了する。
【００３１】
オペレーションＡＥにおいて、指示信号送信部２３は、マルチキャスト信号の配信先グループへの参加を指示する指示信号を分配装置３へ送信する。
【００３２】
図５は、図１に示す通信システム１におけるマルチキャスト信号の制御の第１例のシーケンス図である。なお、他の実施態様においては、下記のオペレーションＢＡ〜ＢＩの各オペレーションはステップであってもよい。
【００３３】
オペレーションＢＡにおいて分配装置３は、移動局装置７へ向けてマルチキャスト配信によりユーザデータを送信する。ユーザデータは基地局装置４において受信される。オペレーションＢＢにおいて基地局装置４は、ユーザデータを移動局装置７へ送信する。
【００３４】
オペレーションＢＣにおいて基地局装置４は、移動局装置７との通信状態に応じて移動局装置７へのマルチキャスト信号の送信が不要か否かを判定する。オペレーションＢＣにおける判定においてマルチキャスト信号の送信が不要であると判定された場合、オペレーションＢＤにおいて基地局装置４は、マルチキャスト信号の配信先グループへの不参加を指示する指示信号を分配装置３へ送信する。その結果、分配装置３は、移動局装置７へ向けたマルチキャスト配信によるユーザデータの送信を停止する。
【００３５】
オペレーションＢＥにおいて移動局装置７は、マルチキャストによるデータ配信を伴うサービスの依頼を送信する。このとき基地局装置４は、オペレーションＢＦにおいて移動局装置７との通信状態に応じて移動局装置７へのマルチキャスト信号の送信が不要か否かを判定する。
【００３６】
オペレーションＢＦにおける判定においてマルチキャスト信号の送信が不要でないと判定された場合、オペレーションＢＧにおいて基地局装置４は、マルチキャスト信号の配信先グループへの参加を指示する指示信号を分配装置３へ送信する。その結果、オペレーションＢＨにおいて分配装置３は、移動局装置７へ向けてマルチキャスト配信によりユーザデータを送信する。オペレーションＢＩにおいて基地局装置４は、ユーザデータを移動局装置７へ送信する。
【００３７】
本実施例によれば、基地局装置４において、移動局装置７との通信状態に応じてマルチキャスト信号の送信が不要か否かを判定して基地局装置４へのマルチキャスト信号の配信を制御することで、従来よりも迅速な配信制御が可能になる。この結果、不要なマルチキャスト信号がネットワークを流れることによるネットワーク利用効率の低下を低減することが可能となる。
【００３８】
図６は、図１に示す通信システム１におけるマルチキャスト信号の制御の第２例のシーケンス図である。本実施例において基地局装置４は、ＩＧＭＰ（Internet Group Management Protocol）を用いて、マルチキャスト信号の配信先グループへの参加又は不参加を、分配装置３へ通知する。なお、他の実施態様においては、下記のオペレーションＣＡ〜ＣＫの各オペレーションはステップであってもよい。
【００３９】
オペレーションＣＡにおいて移動局装置７へ向けてマルチキャスト配信によりユーザデータを送信する。ユーザデータは基地局装置４において受信される。オペレーションＣＢにおいて基地局装置４は、ユーザデータを移動局装置７へ送信する。オペレーションＣＣにおいて基地局装置４は、移動局装置７との通信状態に応じて移動局装置７へのマルチキャスト信号の送信が不要か否かを判定する。以下、オペレーションＣＣにおいて移動局装置７へのマルチキャスト信号の送信が不要であると判定された場合について説明する。
【００４０】
オペレーションＣＤにおいて分配装置３は、ＩＧＭＰメンバシップメッセージクエリを基地局装置４へ送信する。オペレーションＣＥにおいて基地局装置４は、移動局装置７へのマルチキャスト配信を行う配信元及び／又はマルチキャストグループを指定して、マルチキャストグループからの脱退を指示するＩＧＭＰメッセージレスポンスを分配装置３へ送信する。その結果、分配装置３は、移動局装置７へ向けたマルチキャスト配信によるユーザデータの送信を停止する。
【００４１】
オペレーションＣＦにおいて移動局装置７は、マルチキャストによるデータ配信を伴うサービスの依頼を送信する。このとき基地局装置４は、オペレーションＣＧにおいて移動局装置７との通信状態に応じて移動局装置７へのマルチキャスト信号の送信が不要か否かを判定する。以下、オペレーションＣＧにおいて移動局装置７へのマルチキャスト信号の送信が不要でないと判定された場合について説明する。
【００４２】
オペレーションＣＨにおいて分配装置３は、ＩＧＭＰメンバシップメッセージクエリを基地局装置４へ送信する。オペレーションＣＩにおいて基地局装置４は、移動局装置７へのマルチキャスト配信を行う配信元及び／又はマルチキャストグループを指定して、マルチキャストグループへの参加を指示するＩＧＭＰメッセージレスポンスを分配装置３へ送信する。
【００４３】
オペレーションＣＪにおいて分配装置３は、移動局装置７へ向けてマルチキャスト配信によりユーザデータを送信する。オペレーションＣＫにおいて基地局装置４は、ユーザデータを移動局装置７へ送信する。
【００４４】
従来、移動局装置７へマルチキャストによりユーザデータを配信する場合には、配信装置２のアプリケーション層において配信制御を行っていた。本実施例によれば、基地局装置４と分配装置３のトランスポート層の処理によってマルチキャスト信号の配信制御を行うことが可能になるため、迅速な配信制御が可能になる。なお、以下に説明する他の実施例においても、マルチキャスト信号の配信先グループへの参加又は不参加を通知するためにＩＧＭＰが使用されてよい。
【００４５】
図７は、図１に示す基地局装置４のハードウエア構成の第２例を示す図である。基地局装置４は、１又は複数のアンテナ３１と、１又は複数の増幅器３２と、送信電力増幅器３３と、無線装置３４と、無線装置コントローラ３５を備える。図７及び以下の説明において、増幅器３２をＭＨＡ（Mast Head Amplifier）１２と表記し、送信電力増幅器３３をＴＰＡ（Transmit Power Amplifier）３３と表記することがある。図７及び以下の説明において、無線装置３４をＲＥ（Radio Equipment）３４と表記し、無線装置コントローラ３５を、ＲＥＣ（Radio Equipment Controller）３５と表記することがある。
【００４６】
ＲＥ３４は、１又は複数の送受信機３４１と、１又は複数のベースバンドユニット３４２を具備する。図７及び以下の説明において、送受信機３４１をＴＲＸ（Transmitter Receiver）３４１と表記し、ベースバンドユニット３４２を、ＢＢ３４２と表記することがある。
【００４７】
ＲＥＣ３５は、スイッチ３５１と、ハイウェイインタフェース３５２、共有メモリ３５３、呼処理ユニット３５４と、データベースユニット３５５を備える。図７及び以下の説明において、スイッチ３５１をＳＷ３５１と表記し、ハイウェイインタフェース３５２をＨＷＩＦ３５２と表記することがある。図７及び以下の説明において、共有メモリ３５３をＣＭ（Common Memory）３５３と表記し、呼処理ユニット３５４をＣＰＵ（Call Processing Unit）３５４と表記し、データベースユニット３５５をＤＢ３５５と表記することがある。
【００４８】
アンテナ３１は、移動局装置７との間で無線信号を送受信する無線インタフェースである。ＭＨＡ１２は、アンテナ３１とＴＰＡ３３との間で送受される無線信号を増幅する。ＴＰＡ３３は、ＭＨＡ３２とＲＥ３４との間で送受される無線信号を増幅する。
【００４９】
ＲＥ３４において、ＴＲＸ３４１は、ＢＢ３４２からの送信ベースバンド信号を無線周波数に周波数変換してＴＰＡ３３に送信する。ＴＲＸ３４１は、ＴＰＡ３３から受信した無線信号をベースバンド周波数に周波数変換してＢＢ３４２に送信する。ＢＢ３４２は、ＲＥＣ３５のＳＷ３５１からの送信信号に対して、所定の符号化、変調等を含んだベースバンド処理を施してＴＲＸ３４１へ送信する。ＢＢ３４２は、ＴＲＸ３４１から受信したベースバンド信号に対して、所定の復調、復号等を含んだベースバンド処理を施してＲＥＣ３５のスイッチ３５１へ送信する。
【００５０】
ＲＥＣ３５において、ＳＷ３５１は、ＣＰＵ３５４からの制御にしたがって、ＢＢ３４２とＨＷＩＦ３５２との間の接続を切り替えて、ＢＢ３４２からの信号はＨＷＩＦ３５２へ、ＨＷＩＦ３５２からの信号はいずれかのＢＢ３４２へ出力する。
【００５１】
ＨＷＩＦ３５２は、上流側装置や他の基地局装置４と通信する。例えば、ＬＴＥ（Long Term Evolution）が通信システム１に使用される場合には、ＨＷＩＦ３５２は、Ｓ１インタフェース、Ｘ２インタフェースとしての機能を具備し、他の基地局装置や、ＭＭＥ（Mobility Management Entity）、Ｓ−ＧＷと通信する。
【００５２】
ＣＭ３５３は、ＣＰＵ３５４が動作する上で用いるデータを保持する。このＣＭ３５３には、例えば、ＤＢ３５５のデータが読み出されて展開される場合もある。ＣＰＵ３５４は、ＣＭ３５３及び／又はＤＢ３５５に保持されたデータを基にＳＷ３５１を制御する。ＣＰＵ３５４により参照される、ＣＭ３５３及び／又はＤＢ３５５に保持されたデータには、呼制御のためのアプリケーションデータや設定データ等が含まれる。ＣＰＵ３５４は、ＳＷ３５１を制御することにより、移動局装置７や、他の基地局装置４、上流側装置との間で送受される信号を適切な経路へ転送する。ＤＢ３５５は、基地局装置４が動作する上で使用されるデータを保持する。
【００５３】
図８は、図７に示す基地局装置４の第１構成例を示す図である。基地局装置４は、受信部２０と、送信部２１と、判定部２２と、指示信号送信部２３と、無線パラメータ検出部２４と、パラメータテーブル２５と、パラメータ決定部２６を備える。図３に示す構成要素と同じ構成要素には同じ参照番号を付する。なお同図では、この実施例の説明に関係する機能を中心として示している。
【００５４】
受信部２０の機能は、図７に示すＨＷＩＦ３５２により実行される。送信部２１の機能は、図７に示すＴＲＸ３４１により実行される。判定部２２の機能は、図７に示すＣＰＵ３５４により実行されてよい。指示信号送信部２３の機能は、図７に示すＨＷＩＦ３５２により実行される。
【００５５】
無線パラメータ検出部２４は、移動局装置７との無線通信が行われる各セル８における無線通信パラメータを検出する。無線パラメータ検出部２４の機能は図７に示すＢＢ３４２によって実行される。パラメータテーブル２５には、各セル８と、各セル８に位置する移動局装置７へユーザデータを配信するマルチキャストグループとの対応関係を示す情報が格納される。
【００５６】
図９は、図８に示すパラメータテーブル２５の第１例の説明図である。パラメータテーブル２５は、セル欄と、ＩＰアドレス欄と、グループ欄と、配信状態欄を有する。パラメータテーブル２５において、少なくともセル毎に別々のレコードが用意される。セル欄には基地局装置４によりカバーされるセルの識別子が格納される。ＩＰアドレス欄には、対象のセルに位置する移動局装置７に対してマルチキャストによりユーザデータを配信する配信装置２のＩＰアドレスが格納される。
【００５７】
グループ欄には、対象のセルに位置する移動局装置７に対してユーザデータを配信するマルチキャストグループの識別子が格納される。配信状態欄には、パラメータテーブル２５において対象のセルに対応付けられたマルチキャストグループによって、マルチキャスト配信が実施されているか否かを示すフラグが格納される。
【００５８】
例えばレコード４０は、セル１に位置する移動局装置に対してマルチキャストによるユーザデータの配信を行うマルチキャストグループの識別子は「ＡＡＡ」であり、その配信装置のＩＰアドレスは「ａａａ」であることを示している。レコード４０は、セル１に位置する移動局装置に対するマルチキャストグループ「ＡＡＡ」によるユーザデータの配信が実行中であることを示す。
【００５９】
例えばレコード４１は、セル２に位置する移動局装置に対してマルチキャストによるユーザデータの配信を行うマルチキャストグループの識別子は「ＣＣＣ」であり、その配信装置のＩＰアドレスは「ｃｃｃ」であることを示している。レコード４１は、セル２に位置する移動局装置に対するマルチキャストグループ「ＣＣＣ」によるユーザデータの配信が停止中であることを示す。
【００６０】
パラメータテーブル２５は、ＣＭ３５３やＤＢ３５５に記憶されていてよい。またパラメータテーブル２５は、基地局装置４内に記憶されなくてもよく、基地局装置４からアクセス可能であればよい。また、ＩＧＭＰを用いてマルチキャスト信号の配信先グループへの参加又は不参加を分配装置３へ通知する場合には、マルチキャストグループの識別子としてマルチキャストグループアドレスがグループ欄に格納されてもよい。
【００６１】
図８を参照する。パラメータ決定部２６は、判定部２２による判定結果に従って、指示信号送信部２３により送信される指示信号のパラメータを決定する。パラメータ決定部２６により決定されるパラメータは、例えば、分配装置３に参加又は脱退を要求するマルチキャストグループの識別子や、配信装置のＩＰアドレスや、参加及び脱退の識別情報であってよい。パラメータ決定部２６の機能は、図７に示すＣＰＵ３５４により実行されてよい。なお、機能部２２及びパラメータ決定部２６の機能は、ＣＰＵ３５４により実行されなくてもよく、ＣＰＵ３５４とは独立したプロセッサによって実行されてもよい。
【００６２】
図１０は、図７に示す基地局装置４における処理の第１例のシーケンス図である。なお、他の実施態様においては、下記のオペレーションＤＡ〜ＤＦの各オペレーションはステップであってもよい。オペレーションＤＡにおいてＢＢ３４２は、無線通信パラメータを検出し、ＣＰＵ３５４へ無線通信パラメータを通知する。
【００６３】
オペレーションＤＢにおいてＣＰＵ３５４は、通知された無線通信パラメータに基づき、マルチキャスト配信制御の必要性を判定する。オペレーションＤＢにてマルチキャスト配信制御が必要だと判定された場合、オペレーションＤＣにおいてＣＰＵ３５４は、分配装置３へ送信する指示信号のパラメータを決定する。
【００６４】
オペレーションＤＤにおいてＣＰＵ３５４は、オペレーションＤＣにて決定したパラメータをＨＷＩＦ３５２へ通知する。オペレーションＤＥにおいてＨＷＩＦ３５２は、通知されたパラメータに基づき、指示信号を分配装置３へ送信することにより、マルチキャスト配信制御を実施する。オペレーションＤＦにおいてＨＷＩＦ３５２は、実施結果をＰＵ３５４へ通知する。
【００６５】
図１１は、図７に示す基地局装置４における処理の第１例の説明図である。なお、他の実施態様においては、下記のオペレーションＥＡ〜ＥＦの各オペレーションはステップであってもよい。以下に示す例では、移動局装置７との無線通信が行われる各セル８における無線通信パラメータとして、通信の通信品質に関するパラメータを使用する場合について説明するが、無線通信パラメータとしては他の指標が使用されてもよい。
【００６６】
また以下に示す例では、通信の通信品質に関するパラメータとして、自動再送要求（ＡＲＱ: Automatic repeat-request）プロトコルにおけるＣＲＣ（Cyclic Redundancy Check）エラー発生率を使用する。しかし、通信の通信品質に関するパラメータとして、例えばＲＬＣ  ＰＤＵ（Radio Link Control Protocol Data Unit）のＣＲＣエラー受信率や、ＢＬＥＲ（BLock Error Rate）、ＢＥＲ（Bit Error Ratio）を使用してもよい。
【００６７】
オペレーションＥＡにおいて無線パラメータ検出部２４は、次式（１）に従って、無線パラメータとしてのＡＲＱのＣＲＣエラー発生率を、対象のセルについて算出する。
【００６８】
ＡＲＱのＣＲＣエラー発生率（％）＝（ＣＲＣエラー受信数）／サンプル数×１００      …（１）
【００６９】
オペレーションＥＢにおいて判定部２２は、算出されたＡＲＱのＣＲＣエラー発生率が、無線パラメータに関する所定の条件を満たすか否かを判定する。所定の条件を次式（２）に示す。
【００７０】
ＡＲＱのＣＲＣエラー発生率  −  実施判定閾値  ≦  ０      …（２）
【００７１】
所定の条件（２）が満たされないとき（オペレーションＥＢ：Ｎ）、判定部２２は、対象のセルにはマルチキャスト配信に対応する無線品質が確保されていないためマルチキャスト配信は不要であると判定し、処理をオペレーションＥＣへ進める。所定の条件（２）が満たされるとき（オペレーションＥＢ：Ｙ）、判定部２２は、対象のセルでマルチキャスト配信に対応する無線品質が確保されているためマルチキャスト配信は不要ではないと判定し、処理をオペレーションＥＥへ進める。
【００７２】
オペレーションＥＣにおいて判定部２２は、パラメータテーブル２５内のデータを検索するデータ検索機能にアクセスすることにより、対象のセルに対応付けられたマルチキャストグループで、マルチキャスト配信が実施されているか否かを判定する。マルチキャスト配信が実施されているときは（オペレーションＥＣ：Ｙ）、処理はオペレーションＥＤへ移行する。マルチキャスト配信が実施されていないときは（オペレーションＥＣ：Ｎ）、処理を終了する。
【００７３】
オペレーションＥＤにおいてパラメータ決定部２６は、パラメータテーブル２５内のデータを検索するデータ検索機能にアクセスすることにより、対象のセルでマルチキャスト配信を行うマルチキャストグループから脱退するための指示信号のパラメータを決定する。指示信号送信部２３は、パラメータ決定部２６により決定されたパラメータに従って、指示信号を分配装置３へ送信する。
【００７４】
オペレーションＥＥにおいて判定部２２は、パラメータテーブル２５内のデータを検索するデータ検索機能にアクセスすることにより、対象のセルに対応付けられたマルチキャストグループで、マルチキャスト配信が実施されているか否かを判定する。マルチキャスト配信が実施されていないときは（オペレーションＥＥ：Ｎ）、処理はオペレーションＥＦへ移行する。マルチキャスト配信が実施されているときは（オペレーションＥＥ：Ｙ）、処理を終了する。
【００７５】
オペレーションＥＦにおいてパラメータ決定部２６は、パラメータテーブル２５内のデータを検索するデータ検索機能にアクセスすることにより、対象のセルでマルチキャスト配信を行うマルチキャストグループへ参加するための指示信号のパラメータを決定する。指示信号送信部２３は、パラメータ決定部２６により決定されたパラメータに従って、指示信号を分配装置３へ送信する。
【００７６】
本実施例によれば、基地局装置４においてセル毎に算出可能な無線通信パラメータを用いて、マルチキャスト配信制御を行うことが可能となる。
【００７７】
図１２は、図７に示す基地局装置４の第２構成例を示す図である。基地局装置４は、受信部２０と、送信部２１と、判定部２２と、指示信号送信部２３と、パラメータテーブル２５と、パラメータ決定部２６と、サービス状態判定部２７を備える。図８に示す構成要素と同じ構成要素には同じ参照番号を付する。なお同図では、この実施例の説明に関係する機能を中心として示している。
【００７８】
サービス状態判定部２７は、基地局装置４と接続されている移動局装置７のサービス状態を判定する。サービス状態判定部２７の機能は図７に示すＣＰＵ３５４によって実行されてよい。但し、サービス状態判定部２７の機能は、ＣＰＵ３５４により実行されなくてもよく、ＣＰＵ３５４とは独立したプロセッサによって実行されてもよい。
【００７９】
図１３は、図１２に示すパラメータテーブル２５の第２例の説明図である。パラメータテーブル２５は、移動局欄と、ＩＰアドレス欄と、グループ欄と、配信状態欄を有する。パラメータテーブル２５において、少なくとも移動局装置毎に別々のレコードが用意される。移動局欄には基地局装置４に接続する移動局装置７の識別子が格納される。ＩＰアドレス欄には、対象の移動局装置７に対してマルチキャストによりユーザデータを配信する配信装置２のＩＰアドレスが格納される。
【００８０】
グループ欄には、対象の移動局装置７に対してユーザデータを配信するマルチキャストグループの識別子が格納される。配信状態欄には、パラメータテーブル２５において対象の移動局装置７に対応付けられたマルチキャストグループによって、マルチキャスト配信が実施されているか否かを示すフラグが格納される。
【００８１】
例えばレコード４２は、移動局装置ＵＥ１に対してマルチキャストによるユーザデータの配信を行うマルチキャストグループの識別子は「ＡＡＡ」であり、その配信装置のＩＰアドレスは「ａａａ」であることを示している。レコード４０は、移動局装置ＵＥ１に対するマルチキャストグループ「ＡＡＡ」によるユーザデータの配信が実行中であることを示す。
【００８２】
例えばレコード４３は、移動局装置ＵＥ２に対してマルチキャストによるユーザデータの配信を行うマルチキャストグループの識別子は「ＣＣＣ」であり、その配信装置のＩＰアドレスは「ｃｃｃ」であることを示している。レコード４１は、移動局装置ＵＥ２に対するマルチキャストグループ「ＣＣＣ」によるユーザデータの配信が停止中であることを示す。
【００８３】
図１４は、図７に示す基地局装置４における処理の第２例の説明図である。下記のオペレーションＦＡ〜ＦＦの各オペレーションはステップであってもよい。以下に示す例では、移動局装置７のサービス状態として、ＬＴＥに規定されるＤＲＸ（Discontinuous Reception）状態を使用するが、移動局装置７のサービス状態としては移動局装置７へのデータ送信が不要であると判断できる状態であれば他の状態を使用してもよい。
【００８４】
オペレーションＦＡにおいてサービス状態判定部２７は、移動局装置７のサービス状態を判定する。オペレーションＦＢにおいてサービス状態判定部２７は、移動局装置７のサービス状態が、ＤＲＸ状態である期間を測定する。
【００８５】
オペレーションＦＣにおいて判定部２２は、移動局装置７のサービス状態がＤＲＸ状態である期間が所定期間以上であるか否かを判定する。移動局装置７が所定期間以上ＤＲＸ状態であるとき（オペレーションＦＣ：Ｙ）、判定部２２は、マルチキャスト配信は不要であると判定し、処理をオペレーションＦＤへ進める。移動局装置７が所定期間以上ＤＲＸ状態でないとき（オペレーションＦＣ：Ｎ）、判定部２２は、マルチキャスト配信は不要でないと判定し処理をオペレーションＦＥへ進める。
【００８６】
オペレーションＦＤにおいてパラメータ決定部２６は、パラメータテーブル２５内のデータを検索するデータ検索機能にアクセスし、対象の移動局装置７に対しマルチキャスト配信を行うマルチキャストグループから脱退するための指示信号のパラメータを決定する。指示信号送信部２３は、パラメータ決定部２６により決定されたパラメータに従って、指示信号を分配装置３へ送信する。
【００８７】
オペレーションＦＥにおいて判定部２２は、対象の移動局装置７が、マルチキャスト配信を伴うサービス要求をしたか否かを判定する。サービス要求がされたときは（オペレーションＦＥ：Ｙ）、処理をオペレーションＦＦへ進める。サービス要求がされないときは（オペレーションＦＥ：Ｎ）、処理を終了する。
【００８８】
オペレーションＦＦにおいてパラメータ決定部２６は、パラメータテーブル２５内のデータを検索するデータ検索機能にアクセスし、対象の移動局装置７に対しマルチキャスト配信を行うマルチキャストグループへ参加するための指示信号のパラメータを決定する。指示信号送信部２３は、パラメータ決定部２６により決定されたパラメータに従って、指示信号を分配装置３へ送信する。
【００８９】
本実施例によれば、移動局装置７のサービス状態に応じてマルチキャスト配信が不要か否かを判定し、マルチキャスト配信制御を行うことが可能となる。
【符号の説明】
【００９０】
１    通信システム
２    配信装置
３    分配装置
４    基地局装置
７    移動局装置
８    セル
【図１】
0005471707.tif 000002
【図２】
0005471707.tif 000003
【図３】
0005471707.tif 000004
【図４】
0005471707.tif 000005
【図５】
0005471707.tif 000006
【図６】
0005471707.tif 000007
【図７】
0005471707.tif 000008
【図８】
0005471707.tif 000009
【図９】
0005471707.tif 000010
【図１０】
0005471707.tif 000011
【図１１】
0005471707.tif 000012
【図１２】
0005471707.tif 000013
【図１３】
0005471707.tif 000014
【図１４】
0005471707.tif 000015